(57)【要約】【課題】使用者が消火栓装置を操作する際に、操作レバーやノズルをより低い位置に位置させることができ、より簡便に消火栓扉の開扉を行うことができる消火栓装置を提供する。【解決手段】筐体４と、筐体４内に収容され、ノズル２を有する消火用ホース３と、筐体４に設けられ、消火用ホース３を筐体４外に引き出すための開口部６と、開口部６を開閉するための消火栓扉７と、を備える消火栓装置１において、消火栓扉７を、前傾方向Ａ１に回動可能な回動扉体１１１を有するものとし、回動扉体１１１を、その裏面１１ｂに消火栓弁を開弁するための操作レバー１４と、ノズル２が取付けられるノズル取付部１５とを有するものとすると共に消火栓扉７が開扉された際に、少なくともその一部が筐体４の底部４ａよりも低い位置に位置する様にする。【選択図】図１
2018166910.tif 000002
【特許請求の範囲】
【請求項１】
筐体と、
該筐体内に収容され、ノズルを有する消火用ホースと、
該筐体に設けられ、該消火用ホースを該筐体外に引き出すための開口部と、
該開口部を開閉するための消火栓扉と、を備え、
該消火栓扉は、前傾方向に回動可能な回動扉体を有しており、
該回動扉体は、その裏面に消火栓弁を開弁するための操作レバーと、該ノズルが取付けられるノズル取付部とを有し、該消火栓扉が開扉された際に、少なくともその一部が該筐体の底部よりも低い位置に位置することを特徴とする消火栓装置。
【請求項２】
前記消火栓扉は、複数の扉体を有しており、
該扉体の内の１つが前記回動扉体であることを特徴とする請求項１に記載の消火栓装置。
【請求項３】
前記消火栓扉は、下扉体と、該下扉体に連結された上扉体と、を有しており、
該上扉体は、前記回動扉体であり、
該下扉体は、下降方向に移動可能な昇降扉体であることを特徴とする請求項２に記載の消火栓装置。
【請求項４】
前記上扉体と前記下扉体の各々は、ハンドル部が設けられていると共にラッチにより係止されており、
該上扉体のハンドル部を操作した際には、該上扉体の該ラッチよる係止のみが解除され、
該下扉体のハンドル部を操作した際には、該上扉体と該下扉体の両方の該ラッチよる係止が解除されることを特徴とする請求項３に記載の消火栓装置。
【発明の詳細な説明】
【技術分野】
【０００１】
本発明は、消火栓装置に関する。
【背景技術】
【０００２】
従来、トンネルに設置される消火栓装置がある。この様な消火栓装置は、トンネルの壁面を箱抜きして作成されたスペースに埋め込む形で設置されていたが、近年、シールド工法によってトンネルの掘削が行われる様になっており、この場合、トンネルの壁面を箱抜きして消火栓装置の設置スペースを確保することが困難となる。
【０００３】
そのため、シールド工法によって掘削されたトンネルにおいては、消火栓装置は、トンネルの壁面に埋め込まず、監査路等の空いているスペースに設置されることとなる。特に消火栓装置が監査路に設置される場合においては、監査路は、比較的狭いスペースであるため監視員等の通行の妨げとならない様に、より省スペースな消火栓装置が求められている。筐体を薄型化し、省スペースを実現した例として、特許文献１又は２に記載された消火栓装置がある。
【先行技術文献】
【特許文献】
【０００４】
【特許文献１】特開２００６−１８１０５７号公報
【特許文献２】特開２０１４−２１７６４６号公報
【発明の概要】
【発明が解決しようとする課題】
【０００５】
シールド工法で掘削されたトンネルの周壁は略円筒形であるのに対して、消火栓装置の筐体は略直方体形をなしているため、監査路が設けられる位置によっては、消火栓装置を監査路面上に設置するよりも周壁の監査路面よりも高い位置に設置した方がより監視員等の通行の妨げとならない場合がある。
【０００６】
一方、消火栓装置を操作する際には、消火栓扉を開扉して、操作レバーを操作して消火栓弁を開栓すると共に消火用ホースの先端に取付けられたノズルをもって消火用ホースを筐体外に引き出す必要がある。他方、消火栓装置は、使用者が監査路面よりも一段低い位置にある道路面に立って操作を行うことが必要な場合がある。
【０００７】
この様な監査路面よりも高い位置に設置された消火栓装置を使用者が前記道路面に立って消火栓装置を操作する場合、消火栓装置が設置されている位置と道路面とに高低差がある分、手を伸ばして操作をする必要がある。
【０００８】
特許文献１及び２に記載の消火栓装置においても、十分簡便に消火栓扉の開扉をして操作レバーの操作や消火用ホースの引き出しを行うことは可能であるが、より低い位置に操作レバーやノズルを設けることができれば、道路面からの消火栓装置の操作がより簡便となることは確かである。
【０００９】
そこで、本発明は、使用者が消火栓装置を操作する際に、操作レバーやノズルをより低い位置に位置させることができ、道路面からより簡便に消火栓装置の操作を行うことができる消火栓装置を提供することを目的とする。
【課題を解決するための手段】
【００１０】
本発明は、筐体と、該筐体内に収容され、ノズルを有する消火用ホースと、該筐体に設けられ、該消火用ホースを該筐体外に引き出すための開口部と、該開口部を開閉するための消火栓扉と、を備え、該消火栓扉は、前傾方向に回動可能な回動扉体を有しており、該回動扉体は、その裏面に消火栓弁を開弁するための操作レバーと、該ノズルが取付けられるノズル取付部とを有し、該消火栓扉が開扉された際に、少なくともその一部が該筐体の底部よりも低い位置に位置することを特徴とする消火栓装置である。
【００１１】
又、本発明は、前記消火栓扉を、複数の扉体を有するものとし、該扉体の内の１つを前記回動扉体とすることが可能である。又、本発明は、前記消火栓扉を、下扉体と、該下扉体に連結された上扉体と、を有するものとし、該上扉体を、前記回動扉体とし、該下扉体を、下降方向に移動可能な昇降扉体とすることが可能である。
【００１２】
又、本発明は、前記上扉体と前記下扉体の各々に、ハンドル部が設けると共にラッチにより係止し、該上扉体のハンドル部を操作した際に、該上扉体の該ラッチよる係止のみが解除されるものとし、該下扉体のハンドル部を操作した際に、該上扉体と該下扉体の両方の該ラッチよる係止が解除される様にすることが可能である。
【００１３】
尚、本発明において、前後上下の方向は、筐体の開口部が設けられている側を前面とし、消火栓装置が設置された状態で定めるものとする。又、本発明において、消火栓扉の扉体の表裏は、消火栓扉を閉扉した状態で定めるものとする。
【発明の効果】
【００１４】
本発明は、消火栓扉が、前傾方向に回動可能な回動扉体を有するものとし、該回動扉体の裏面に操作レバーを設けると共にノズルを取付け、該回動扉体を、消火栓扉を開扉した際に少なくとも一部が消火栓装置の筐体の底部よりも低い位置に位置する様にしたので、使用者が消火栓装置を操作する際に、操作レバーやノズルをより低い位置に位置させることができ、道路面からより簡便に消火栓装置の操作を行うことができる。
【図面の簡単な説明】
【００１５】
【図１】本発明の第１実施形態を示す図であり、消火栓扉を開扉した状態の正面図である。
【図２Ａ】本発明の第１実施形態における消火栓扉の開扉の様子を示す略図であり、閉扉時の状態を示す図である。
【図２Ｂ】本発明の第１実施形態における消火栓扉の開扉の様子を示す略図であり、上扉体の開扉開始時の状態を示す図である。
【図２Ｃ】本発明の第１実施形態における消火栓扉の開扉の様子を示す略図であり、下扉体の開扉が完了した状態を示す図である。
【図２Ｄ】本発明の第１実施形態における消火栓扉の開扉の様子を示す略図であり、消火栓扉の開扉が完了した状態を示す図である。
【図３】本発明の第１実施形態を示す図であり、トンネル内における設置状態を示す略図である。
【図４Ａ】本発明の第２実施形態を示す図であり、上扉体のみを開扉した状態を示す正面図である。
【図４Ｂ】本発明の第２実施形態を示す図であり、上扉体と下扉体の両方を開扉した状態を示す正面図である。
【図５】本発明の第２実施形態における消火栓扉を示す図であり、正面側の略図である。
【図６】本発明の第２実施形態における消火栓扉を示す図であり、背面側の略図である。
【図７】本発明の第３実施形態における消火栓扉を示す図であり、正面側の略図である。
【図８】本発明の第３実施形態における消火栓扉を示す図であり、背面側の略図である。
【発明を実施するための形態】
【００１６】
本発明の第１実施形態を、トンネルＴに設置される消火栓装置１を例として、図１乃至図３に基づき説明する。始めに、本実施形態の消火栓装置１の構成について説明する。
【００１７】
消火栓装置１が設置されるトンネルＴは、シールド工法によって掘削がなされており、周壁Ｔ１が略円筒形に設けられている。周壁Ｔ１の内方は、図示しない床板によって、上下に空間が仕切られている。上側の当該空間は、自動車等の通行する車道部分となっており、道路面Ｔ２及び道路面Ｔ２の両脇に設けられた道路面Ｔ２よりも一段高い監査路Ｔ３が設けられている。
【００１８】
消火栓装置１は、可能な限り監査路Ｔ３を通行する監視員等の妨げにならない様に、例えば、周壁Ｔ１の監査路面Ｔ３ａよりも高い位置に設置される。消火栓装置１を周壁Ｔ１に設置する手段は問わないが、例えば、周壁Ｔ１に形成されたインサートアンカーＴ１ａを利用して設置することが可能である。消火栓装置１と監査路面Ｔ３ａとの間には、後述する消火栓扉７が開扉された際に扉体１１を保持するための保持スペースＳが確保されている。
【００１９】
又、消火栓装置１は、先端側にノズル２が設けられた消火用ホース３が収容される筐体４を備えている。筐体４は、その前面に前面パネル５を有している。前面パネル５には、火災時に消火用ホース３を筐体４外に引き出すための開口部６が設けられていると共に開口部６を、常時は閉鎖して火災時には開放可能に設けられた開口部６の開閉手段たる消火栓扉７が設けられている。本実施形態において、前面パネル５には、筐体４内に収容された消火器（図示せず）を筐体４外へ取り出すための消火器扉８、表示灯９、発信機１０等が設けられており、開口部６は、前面パネル５の筐体４の底部４ａ側に設けられている。
【００２０】
消火栓扉７は、１又は複数の扉体１１を有しており、本実施形態においては、高さ（上下）方向に並列して配設された２つの扉体１１を有している（以下、上方に配設された扉体１１を上扉体１１１と、下方に配設された扉体１１を下扉体１１２と便宜的に表記する）。上扉体１１１は、消火栓扉７を開扉する際に、前傾方向Ａ１に回動可能に設けられた回動扉体となっており、下扉体１１２は、消火栓扉７を開扉する際に、下降方向Ａ２に移動可能に設けられた昇降扉体となっている。本実施形態において、上扉体１１１と下扉体１１２とは、略同じ大きさで形成される。
【００２１】
上扉体１１１は、回動可能に連結可能な連結手段によって、開扉をする際に前傾方向Ａ１に回動可能に下扉体上端部１１ａに連結されている。前記連結手段としては、例えば、ダンパヒンジ１２が採用される。ダンパヒンジ１２は、上扉体１１１が開放する際に、上扉体１１１が急激に開放しないように付勢している。又、上扉体１１１には、操作部１３ａを上扉体裏面１１ｂに備えるハンドル部１３が設けられている。本実施形態において、ハンドル部１３は、消火栓扉７を開扉する際に、使用者が把持する把持部を兼ねている。
【００２２】
更に、上扉体裏面１１ｂには、操作レバー１４、ノズルホルダ１５及びラッチ機構１６が設けられている。操作レバー１４は、消火栓弁（図示せず）を開弁するために設けられている。消火栓弁は、例えば、トンネルＴ内に形成された床板下側の空間や監査路Ｔ３内に設置される。又、ノズルホルダ１５は、ノズル取付部として設けられており、消火用ホース３のノズル２が取り付け可能に形成されている。
【００２３】
ラッチ機構１６は、ラッチ１６ａを備えており、常時は、上扉体１１１を係止して消火栓扉７の閉扉状態を保持するために設けられている。ラッチ１６ａは、略Ｌ字状の引掛部（図示せず）を備え、常時は、上扉体上端１１ｃより突出した状態となっており、開口部６の上端縁６ａ、即ち、前面パネル５の消火栓扉７を閉扉した際に上扉体上端１１ｃと対向する部分に引掛部を掛けて係止され、消火栓扉７の閉扉状態を保持し、上扉体１１１が不意に前傾方向Ａ１に回動したり下扉体１１２が不意に下降方向Ａ２に移動したりすることを防止している。又、ラッチ機構１６は、操作部１３ａと連結されており、ハンドル部１３を操作することでラッチ１６ａが上扉体上端１１ｃより引っ込み、上記係止を解除される様になっている。
【００２４】
下扉体１１２は、筐体４に設けられた昇降付勢手段を伴って、開扉の際には下降方向Ａ２に、閉扉の際には上昇方向Ａ３に昇降可能となっている。前記昇降付勢手段は、消火栓装置１の設計に応じて適宜選択可能であるが、本実施の形態の場合、下扉体１１２が急激に下降方向Ａ２へ開放しないように付勢している。例えば、開口部６の左右両端縁の近傍に設けられた１対のダンパ（図示せず）を採用することが可能である。本実施形態において、ダンパとして、オイル又はオイル及びガスが充填されたシリンダと、該シリンダ内を２つのシリンダ室に区画すると共に該シリンダ内を高さ方向に摺動可能に形成されたピストンロッドを有するピストン式のダンパを採用している。
【００２５】
次に、本実施形態の消火栓装置１における消火栓扉７の開扉操作について説明する。
（１）使用者は、上扉体１１１のハンドル部１３を操作することで、ラッチ１６ａによる係止を解除し、手前に引くと、上扉体１１１は、その自重で前傾方向Ａ１へと回動する。この時、同時に下扉体１１２を下降方向Ａ２に移動させることが可能となる（図２Ｂを参照）。
【００２６】
（２）下扉体１１２は、上扉体１１１と下扉体１１２の重量によって上扉体１１１共に下降方向Ａ２へと移動させる（図２Ｃを参照）。この際、下扉体上端部１１ａは、筐体４の底部４ａと略同程度の高さまで降下する。
【００２７】
（３）上扉体１１１が、更に前傾方向Ａ１に回動させ、消火栓扉７の開扉操作は完了する（図２Ｄを参照）。この際、消火栓扉７は、ダンパヒンジ１２を中心として折畳まれた状態で保持スペースＳに保持される。
【００２８】
従って、消火栓扉７が開扉された際に、上扉体１１１の大部分は筐体４の底部４ａよりも低い位置にあることとなる。そのため、上扉体１１１の上扉体裏面１１ｂにあるノズル２及び操作レバー１４についてもより道路面Ｔ２により近い筐体４の底部４ａ側の位置に位置することとなる。
【００２９】
このことによって、本実施形態の消火栓装置１は、監査路Ｔ３よりも一段低い位置にある道路面Ｔ２から消火栓装置１の操作が必要である場合であっても使用者からより近い位置にノズル２及び操作レバー１４を位置させることができ、使用者がより簡便に操作することが可能となっている。尚、上扉体１１１の回動と下扉体１１２の移動の順番は、特に限定されるものではなく、下扉体１１２の移動した後に上扉体１１１の回動をする様にすることも可能である。
【００３０】
本発明の第２実施形態を図４乃至図６に基づき説明する。本実施形態と第１実施形態との相違は、下扉体１１２にもハンドル部１７及びラッチ機構１８を設けたことである。第１実施形態と同符号の構成については、同実施形態と同様であるため説明は省略する。
【００３１】
本実施形態において、開口部６は、前面パネル５の天部４ｂ側から底部４ａ側にかけて広く設けられており、上扉体１１１は、第１実施形態と比較してより天部４ｂに近い位置に設けられている。
【００３２】
下扉体１１２は、下扉体裏面１１ｄに操作部（図示せず）を備えるハンドル部１７を備えると共に下扉体裏面１１ｄに、常時は、下扉体１１２を開口部６に係止し、ハンドル部１７の操作と連動して当該係止を解除するラッチ機構１８が更に設けられている。ラッチ機構１８は、左右２つのラッチ１８ａ，１８ｂを有しており、該操作部に連結されている。ラッチ１８ａ，１８ｂは、常時は下扉体側部１１ｅより突出し、開口部６の側縁６ｃに係止される様になっており、ハンドル部１７が操作された際に引っ込むことで当該係止が解除される様になっている。
【００３３】
本実施形態において、ラッチ機構１８は、ラッチ機構１６と連結されており、ハンドル部１７を操作することで３箇所のラッチ１６ａ，１８ａ，１８ｂ各々による開口部６との係止が解除される様になっている。他方、上扉体１１１のハンドル部１３を操作した際は、ラッチ１６ａによる開口部６との係止のみが解除される様になっている。
【００３４】
つまり、本実施形態においては、ハンドル部１３を操作した際には、上扉体１１１が前傾方向Ａ１に回動可能となるが、下扉体１１２は下降方向Ａ２には移動可能とはならない様になっており、ハンドル部１７を操作した際に、始めて下扉体１１２を下降方向Ａ２に移動可能になる様になると共にハンドル部１３を把持して上扉体１１１を前傾方向Ａ１に回動させることが可能となることとなる様になっている。
【００３５】
この様にすることで、本実施形態においては、監査路面Ｔ３ａ上で消火栓装置１を操作する場合には、上扉体１１１のハンドル部１３を操作し、上扉体１１１のみを前傾方向Ａ１に回動させ、監査路面Ｔ３ａから操作がよりし易い位置にノズル２及び操作レバー１４を配置することができ（図４Ａを参照）、道路面Ｔ２から消火栓装置１を操作する際には、下扉体１１２のハンドル部１７を操作して、下扉体１１２を下降方向Ａ２に移動させると共に上扉体１１１を前傾方向Ａ１に回動させることで、より低い位置にノズル２及び操作レバー１４を位置させることができる様になっている（図４Ｂを参照）。
【００３６】
そのため、本実施形態においては、使用者のいる位置に応じて、より操作しやすい位置にノズル２及び操作レバー１４を位置させることができ、より簡便に消火栓装置１を操作可能となっている。
【００３７】
以上、本発明を上記実施形態に基づき説明したが、本発明は、上記実施形態に限定されるものではなく発明の要旨を変更しない範囲で適宜変更可能である。
【００３８】
（１）上記実施形態においては、消火栓扉７を２つの扉体（上扉体１１１と下扉体１１２）を有するものとしたが、消火栓扉７を、単数の扉体（図示せず）からなるものとし、該扉体を、上扉体１１１と同様の回動扉体としてもよく、消火栓扉７の開扉時に消火栓扉７の少なくとも一部が筐体４の底部４ａよりも低い位置に位置するように消火栓扉７の大きさ、ヒンジの位置を決めてもよい。又、少なくとも上扉体１１１と同様の回動扉体が設けられていれば、消火栓扉７を３以上の扉体（図示せず）を有するものとしてもよい。
【００３９】
（２）上記実施形態において、前記昇降付勢手段として筐体４の底部４ａよりも下方へ延在するレール様のものを採用し、消火栓扉７を開扉する際に、下扉体１１２を筐体４の底部４ａよりも完全に下方に移動可能にすることも可能である。
【００４０】
（３）上記実施形態において、下扉体を上扉体１１１と同様の回動扉体とすると共にダンパヒンジ１２を筐体４の底部４ａに設け、上扉体を、該下扉体を回動させた際にガススプリング等の昇降手段によって上昇方向Ａ３に移動する昇降扉体とすることが可能である。このときには、下扉体裏面１１ｄに操作レバー１４およびノズルホルダ１５を設けるようにする。
【００４１】
（４）上記第２実施形態において、ラッチ機構１６，１８を連結せずに、道路面Ｔ２から消火栓装置１を操作する際に、先ず、ハンドル部１３を操作して上扉体１１１の係止を解除して、前傾方向Ａ１に回動させ、その後にハンドル部１７を操作して下扉体１１２を下降方向Ａ２に移動させる様にすることも可能である。このとき、ハンドル部１７の代わりに前面パネル５の下扉体１１２近傍に下扉体１１２のラッチ機構を解除する解除スイッチを別に設けてもよい。そうすることで、上扉体１１１が開放した状態でも下扉体１１２の開放操作がより容易になる。
【００４２】
（５）本発明の第３実施形態（図７及び図８を参照）の様に下扉体１１２を開口部６の下端縁６ｂに設けたダンパヒンジ１９によって前傾方向Ａ１に回動可能に設け（尚、他の構成については、第２実施形態と同様である）、監査路面Ｔ３ａ上で消火栓装置１を操作する場合には、上扉体１１１のハンドル部１３を操作し、上扉体１１１のみを前傾方向Ａ１に回動させ、道路面Ｔ２から消火栓装置１を操作する際には、下扉体１１２のハンドル部１７を操作して、上扉体１１１と共に下扉体１１２を前傾方向Ａ１に回動させる様にすることも可能である。
【００４３】
この場合、下扉体１１２は、その下側のダンパヒンジ１９により全開位置まで開放するが、上扉体１１１は、開放した下扉体１１２の下側にぶら下がることとなる。下扉体１１２の開放動作中には、上扉体１１１と下扉体１１２の間のダンパヒンジ１２により、上扉体１１１も開放方向へ動作する場合もあるが、最終的には自重により下扉体１１２の下側に鉛直方向下向きにぶら下がって停止する。
【符号の説明】
【００４４】
１      消火栓装置        ２      ノズル            ３      消火用ホース
４      筐体              ４ａ    底部              ４ｂ    天部
５      前面パネル        ６      開口部            ６ａ    上端縁
６ｂ    下端縁            ６ｃ    側縁              ７      消火栓扉
８      消火器扉          ９      表示灯            １０    発信機
１１    扉体              １１１  上扉体            １１２  下扉体
１１ａ  下扉体上端部      １１ｂ  上扉体裏面        １１ｃ  上扉体上端
１１ｄ  下扉体裏面        １１ｅ  下扉体側部        １２    ダンパヒンジ
１３    ハンドル部        １３ａ  操作部            １４    操作レバー
１５    ノズルホルダ      １６    ラッチ機構        １６ａ  ラッチ
１７    ハンドル部        １８    ラッチ機構        １８ａ  ラッチ
１８ｂ  ラッチ            １９    ダンパヒンジ      Ａ１    前傾方向
Ａ２    下降方向          Ａ３    上昇方向          Ｓ      保持スペース
Ｔ      トンネル          Ｔ１    周壁              Ｔ１ａ  インサートアンカー
Ｔ２    道路面            Ｔ３    監査路            Ｔ３ａ  監査路面
【図１】
2018166910.tif 000003
【図２Ａ】
2018166910.tif 000004
【図２Ｂ】
2018166910.tif 000005
【図２Ｃ】
2018166910.tif 000006
【図２Ｄ】
2018166910.tif 000007
【図３】
2018166910.tif 000008
【図４Ａ】
2018166910.tif 000009
【図４Ｂ】
2018166910.tif 000010
【図５】
2018166910.tif 000011
【図６】
2018166910.tif 000012
【図７】
2018166910.tif 000013
【図８】
2018166910.tif 000014